(57)【特許請求の範囲】
【請求項１】
設備工事に対する設計処理を行うための設計端末と、この設計端末を支援する設計サーバとからなる設計支援システムであって、
複数の設備工事の内容を前記各設備工事の設計処理時にそれぞれ編集するための複数の工事設計情報と前記各設備工事の竣工時期情報とが対応して保存される設計情報保存手段と、
この設計情報保存手段に保存される竣工時期情報を相互に比較して、所定の設備工事に対して竣工時期が先行する設備工事の工事設計情報を前記所定の設備工事の設計処理に際して参照可能とする情報開示手段とを有し、
前記情報開示手段は、前記先行する設備工事の工事設計情報を前記所定の設備工事の設計処理を行う設計端末に配信することを特徴とする設計支援システム。
【請求項２】
前記設計端末は、前記配信された工事設計情報を前記設備工事の対象設備の状態に応じて異ならせて表示することを特徴とする請求項１記載の設計支援システム。
【発明の詳細な説明】
【０００１】
【発明の属する技術分野】
本発明は、複数の設備工事の設計処理が並行して行われるときの各設計処理を支援する設計支援システムに関する。
【０００２】
【従来の技術】
図５は、従来の設計支援システムを利用して、電話交換機を増設する工事と、その設計処理の流れを示す図であり、既存の電話交換機において既に１台使用されているＡ装置をさらに１台追加する工事Ｘ１１（先行する工事）と、この工事Ｘ１１に後続する工事であって、Ａ装置が２台使用されていることを前提としてＢ装置を１台増設する工事Ｘ１２とが例示されている。
【０００３】
先行する工事Ｘ１１の設計者により、現在のＡ装置の使用数（以下現用数という）１に対する増設数１が入力されると、交換機のハードウェアおよびソフトウェアの状態が記述された設備情報を、Ａ装置が暫定的に１台追加された状態（Ａ＝１＋１）とする。そして、設計終了後における工事Ｘ１１の設計者からの指示により、設備情報から初期データが生成され、この初期データによって電話交換機が初期設定される。
【０００４】
続いて、初期設定された電話交換機が起動され、その動作検証が行われ、電話交換機の正常な動作が確認されると、設計支援システムは、竣工処理の指示によって、暫定的な状態（Ａ＝１＋１）であった設備情報を更新する竣工処理を行い、設備情報におけるＡ装置の現用数を２（Ａ＝２）とする。
【０００５】
そして、この先行する工事Ｘ１１に後続する工事Ｘ１２のための設計Ｙ１２が工事Ｘ１１の竣工処理終了後に開始され、この設計Ｙ１２終了後にも同様に竣工処理が行われる。
【０００６】
【発明が解決しようとする課題】
しかしながら、上記従来の設計支援システムにおいては、工事Ｘ１１のような先行する設備工事の竣工時以降でないと、工事Ｘ１２のような後の設備工事のための設計が開始できないため、おのずとその設計処理の時期が制約されてしまう。
【０００７】
また、先行する設備工事の竣工前に後のための設備工事の設計処理を進める必要があるときは、会議や電話などで先行する設備工事の設計者と逐一連絡をとりながら設計せざるを得ず、従って、作業が煩雑化して設計効率が低下するため、改善が要望されていた。
【０００８】
本発明は、上記従来の課題に鑑みなされたもので、竣工時期が先行する設備工事の内容を後の設備工事の設計に反映させ得る設計支援システムを提供することを目的とする。
【０００９】
【課題を解決するための手段】
上記課題を解決するために請求項１に係る設計支援システムは、設備工事に対する設計処理を行うための設計端末と、この設計端末を支援する設計サーバとからなる設計支援システムであって、複数の設備工事の内容を前記各設備工事の設計処理時にそれぞれ編集するための複数の工事設計情報と前記各設備工事の竣工時期情報とが対応して保存される設計情報保存手段と、この設計情報保存手段に保存される竣工時期情報を相互に比較して、所定の設備工事に対して竣工時期が先行する設備工事の工事設計情報を前記所定の設備工事の設計処理に際して参照可能とする情報開示手段とを有し、前記情報開示手段は、前記先行する設備工事の工事設計情報を前記所定の設備工事の設計処理を行う設計端末に配信することを特徴とする。
【００１０】
本発明にあっては、設備工事に対する設計処理の際に、その設備工事の内容が工事設計情報上で編集され、これら工事設計情報は竣工時期情報に対応づけられて設計情報保存手段に保存され、情報開示手段により各設備工事の竣工時期情報が相互に比較され、所定の設備工事に対して竣工時期が先行する設備工事の工事設計情報がその所定の設備工事の設計処理に際して参照可能となって、先行する設備工事の内容をその所定の設備工事の設計に反映可能としている。
また、情報開示手段が、先行する設備工事の工事設計情報を前記所定の設備工事の設計処理を行う設計端末に配信することで、その設計端末において、先行する設備工事の工事設計情報を参照できるようにしている。
【００１３】
また、請求項２に係る本発明の設計支援システムは、請求項１記載のシステムにおいて、前記設計端末は、前記配信された工事設計情報を前記設備工事の対象設備の状態に応じて異ならせて表示することを特徴とする。
【００１４】
この発明にあっては、配信された工事設計情報を対象設備の状態に応じて異ならせて表示することで、設計処理に際して、対象設備の状態が変ったことを認識可能としている。
【００１５】
【発明の実施の形態】
以下、本発明に係る設計支援システムの実施の形態を図面を参照して詳細に説明する。
図１は、本発明の第１の実施の形態の構成を示す図であり、本図において、設計支援システム１００は、設計サーバ１０およびこの設計サーバ１０にＬＡＮ（Ｌｏｃａｌ  Ａｒｅａ  Ｎｅｔｗｏｒｋ）などの通信網を介して接続された設計端末２１，２２などから構成され、電話交換機２００に対する設備工事（以下工事という）のための設計処理（以下設計という）が、この設計支援システム１００において行われる。その際には、複数の設計者が同時に、任意の時点から任意の期間設計を行うことができ、この設計により生成された初期データを用いて、任意の時点で電話交換機２００を初期設定することができる。
【００１６】
設計サーバ１０は、並行して行われる複数の設計を矛盾なく管理する多重設計管理部１１、電話交換機２００の状態に関する設備情報が格納される設備情報格納部１３、工事の内容を編集するための工事設計情報と竣工時期情報などが保存される、設計情報保存手段としての設計情報保存部１５、および竣工処理部１７などから構成される。
【００１７】
この設計サーバ１０の多重設計管理部１１には、設計開始時の処理を行う設計開始処理部１１ａ、工事設計情報の生成／更新の有無を監視する工事設計情報監視部１１ｂ、工事設計情報に対応づけられた竣工時期情報を相互に比較して、竣工時期が先行する工事の有無を判定する竣工時期比較判定部１１ｃ、および先行する工事の工事設計情報を設計端末２１，２２に配信する設計内容配信部１１ｄが構成されている。尚、竣工時期比較判定部１１ｃと設計内容配信部１１ｄとにより、竣工時期が先行する工事の工事設計情報を設計処理に際して参照可能とする情報開示手段が構成されている。
【００１８】
また、設計サーバ１０は、設計内容配信部１１ｄによって配信される工事設計情報以外にも、設備情報の一部を複製し、参照用設備情報として定期的に設計端末２１，２２へと送信するように設定されている（以下、この処理を定期送信という）。尚、この定期送信のタイミングは自由に設定することができ、また、設計端末２１，２２からの要求に応じて送信するようにしてもよい。
【００１９】
設計端末２１は、設計を行うための装置であり、表示部２１ａと表示処理部２１ｂを備え、表示部２１ａの表示画面（設計画面という）には、表示処理部２１ｂの処理によって、工事対象の装置名を表示するための装置名欄、その各装置名に対応する電話交換機２００における現用数を表示するための現用数欄、設計の際に装置の増設数を表示するための増設数欄が適宜構成される。
【００２０】
また、表示処理部２１ｂは、参照用設備情報と他の工事の工事設計情報に含まれるフラグなどの識別情報を解析して、参照用設備情報に含まれる装置数量を黒色で現用欄に表示する一方で、竣工時期が先行する他の工事の工事設計情報に含まれている装置については、その工事が竣工したものと仮定した場合の電話交換機２００における装置数量をピンク色で現用欄に表示するように設定されている。
【００２１】
また、設計端末２１のメモリ上には、設計サーバ１０から独立して設計を行うため適宜作業領域が設けられ、この作業領域内に保存される工事設計情報において、装置数量の増減などの編集がなされ、その内容が増設数欄に表示される。その際の表示色は、青色（増加の場合）または赤色（減少の場合）となっている。さらに、電話交換機２００において必須の装置数量は水色で表示されるようになっている。
尚、設計端末２２も設計端末２１と同様の構成となっている。
【００２２】
次に、図２乃至図４を参照して、設計支援システム１００の動作を詳細に説明する。図２は、並行して行われる２つの設計処理の流れを示す図であり、以下これを参照例として説明する。尚、本図において設計Ｙ１は、竣工時期が８月２０日である工事Ｘ１のための設計であり、設計Ｙ２は、竣工時期が８月１０日である工事Ｘ２のための設計である。尚、この実施の形態における工事とは、電話交換機２００の初期設定時から竣工時期までの作業をいい、この竣工時期とは、竣工処理部１７によって竣工処理が行われるときをいう。図３は、設計サーバ１０と各設計端末２１，２２との間の情報の流れを示すシーケンス図である。そして、図４は、工事設計情報監視部１１ｂ，竣工時期比較判定部１１ｃおよび設計内容配信部１１ｄの動作を示すフローチャートである。
【００２３】
先ず、各工事のための設計開始時の処理について説明する。
図３におけるステップＳ１乃至Ｓ７は、各設計Ｙ１，Ｙ２の開始にあたって行われる処理であり、ステップＳ１において設計開始処理部１１ａは、設計端末２１，２２に入力された工事設計名、竣工時期情報並びに工事の対象を示す装置種類の記述がなされた工事範囲情報を取得し、ステップＳ３では、設計開始処理部１１ａは、取得した情報を一旦設計情報保存部１５に保存する。
【００２４】
具体的には、設計端末２１に入力された工事設計名「設計Ｙ１」、竣工時期情報「８月２０日」並びにＡ装置およびＢ装置を工事対象とする旨の工事範囲情報「Ａ，Ｂ」が設計開始処理部１１ａにより取得され、設計情報保存部１５に保存される。
【００２５】
続くステップＳ５で多重設計管理部１１は、工事範囲情報「Ａ，Ｂ」等を基にして、設計Ｙ１において工事内容を編集するための工事設計情報Ｄ１を生成し、これを、先に取得した竣工時期情報「８月２０日」に対応づけて設計情報保存部１５に保存する。続いて、多重設計管理部１１は、生成された工事設計情報Ｄ１を設計端末２１へ送信する（ステップＳ７）。
【００２６】
この工事設計情報Ｄ１においては、まだ工事内容の編集がなされていないため、図２−▲１▼に示す定期送信の際に設計端末２１へ送信された参照用設備情報に含まれるＡ装置の数量１のみが、表示処理部２１ｂにより設計画面の現用欄に表示されている。
【００２７】
ところで、ステップＳ５において生成される工事設計情報は、例えば、工事範囲情報に応じて、設備情報格納部１３に格納された設備情報の一部を複写して生成しても良いし、工事設計情報には、設計者名や設計図面の番号（版番号）、あるいは、工事の前提条件などの属性情報を含ませてもよい。本例での工事設計情報は、単に、工事範囲情報「Ａ，Ｂ」により指定された工事対象の装置名とその数量を書込むための数量書込領域とで構成されるものとして説明を行う。
【００２８】
図３に戻り、ステップＳ９では、設計端末２１の作業領域上で、送信された工事設計情報Ｄ１において、適宜装置の数量増減などの編集がなされることで工事Ｘ１のための設計Ｙ１が行われる。
【００２９】
具体的には、Ａ装置を１台増設する旨の情報「Ａ＝＋１」が設計端末２１に入力されると、作業領域の工事設計情報Ｄ１において工事内容の編集が行われる。即ち、その数量書込領域には情報「Ａ＝＋１」が書込まれる。そして、設計画面におけるＡ装置の増設数欄には数量１が表示される。
【００３０】
次に、この設計支援システム１００における工事設計情報の保存処理を説明する。
設計内容を一時的に保存しようとする際、あるいは、終了後の確定した設計内容を保存しようとする際には、設計者からの指示により、設計端末２１，２２の工事設計情報が設計サーバ１０へと返送され（ステップＳ１１）、これに続くステップＳ１３では、設計情報保存部１５に保存してあった工事設計情報が、返送された工事設計情報の内容で更新される。
【００３１】
本例では、図２−▲２▼において、設計Ｙ１の設計者からの一時保存指示により、編集後の工事設計情報Ｄ１が設計サーバ１０へと返送され（ステップＳ１１）、設計情報保存部１５の工事設計情報Ｄ１が編集後のものに更新される（ステップＳ１３）。従って、この時点で、設計情報保存部１５の工事設計情報Ｄ１には情報「Ａ＝＋１」が含まれていることとなる。
【００３２】
次に、工事Ｘ２のような竣工時期が先行する工事の工事設計情報を工事Ｘ１のような後続する工事の設計端末に対して配信するための処理を説明する。
【００３３】
図４のステップＳ２１乃至Ｓ２５の処理は、先に説明した図３の処理とは独立して多重設計管理部１１で繰返し実行されるものであり、ステップＳ２１では、工事設計情報監視部１１ｂは、設計情報保存部１５において工事設計情報の新たな生成、または、工事設計情報の更新が行われたたか否かを判定する。ここで工事設計情報の生成／更新無しと判定されたときは、ステップＳ２１の処理を再び行い、ここで工事設計情報の生成／更新有りとなるまで繰返す。
【００３４】
具体的には、図２の設計Ｙ１の開始後においては設計Ｙ２がまだ開始されていないため、ステップＳ２３以降の処理はなされず、従って、設計端末２１の設計画面におけるＡ装置の現用欄には、表示処理部２１ｂの処理により、設計サーバ１０から定期送信された参照用設備情報に含まれる数量１のみが黒色で表示され、電話交換機２００の現状がそのまま反映されている。
【００３５】
次に、前述の工事Ｘ１対して竣工時期が先行する工事Ｘ２についての処理を説明する。
【００３６】
工事設計情報Ｄ１の一時保存時に遅れて、設計端末２２で設計Ｙ２が開始される時には、設計Ｙ１の場合と同様に設計開始処理部１１ａは、設計Ｙ２の工事設計名「設計Ｙ２」、竣工時期情報「８月１０日」並びにＡ装置およびＢ装置を工事対象とする旨の工事範囲情報「Ａ，Ｂ」を取得して（ステップＳ１）、これら情報を一旦設計情報保存部１５に保存する（ステップＳ３）。続いて多重設計管理部１１によって、工事範囲情報「Ａ，Ｂ」を基に工事設計情報Ｄ２が生成され、竣工時期情報「８月１０日」に対応づけて設計情報保存部１５に保存される（ステップＳ５）。そして、この工事設計情報Ｄ２は設計Ｙ２のための設計端末２２へと送信される（ステップＳ７）。
【００３７】
本例における設計Ｙ２にあっては、設計端末２２の作業領域に保存された工事設計情報Ｄ２で編集が行われる。即ち、その数量書込領域に対し、Ｂ装置を１台増設する旨を示す情報「Ｂ＝＋１」が書込まれる（ステップＳ９）。
【００３８】
その後、図２−▲３▼では、設計Ｙ２の設計者からの保存終了指示により、編集後の工事設計情報Ｄ２が設計サーバ１０へと返送され（ステップＳ１１）、設計情報保存部１５の工事設計情報Ｄ２が、この編集後の工事設計情報Ｄ２で更新される（ステップＳ１３）。従って、この時点では、先に更新された工事設計情報Ｄ１「Ａ＝＋１」と今回更新された工事設計情報Ｄ２「Ｂ＝＋１」とが設計情報保存部１５に保存されたこととなる。
【００３９】
次に、先行する工事Ｘ２の工事設計情報Ｄ２を設計端末２１に対して配信する処理を説明する。
【００４０】
工事設計情報Ｄ２「Ｂ＝＋１」が設計情報保存部１５に保存された後にステップＳ２１の判定が行われると、工事設計情報監視部１１ｂによって、工事設計情報の生成／更新有りと判定され、続くステップＳ２３において竣工時期比較判定部１１ｃは、設計情報保存部１５に保存された竣工時期情報を相互に比較し、工事設計名毎に、即ち工事毎に、竣工時期が先行する工事の有無の判定を行う。本例では、工事設計名「設計Ｙ１」と「設計Ｙ２」とが設計情報保存部１５に保存されているため、工事Ｘ１および工事Ｘ２のそれぞれについて判定が行われる。
【００４１】
先ず、先行する工事Ｘ２についての判定にあっては、当該工事Ｘ２の竣工時期情報「８月１０日」と工事Ｘ１の竣工時期情報「８月２０日」とが竣工時期比較判定部１１ｃにより比較され、竣工時期が先行する工事無しと判定され（ステップＳ２３）、設計内容配信部１１ｄによる工事設計情報の配信はなされない。従って、この実施の形態では、先行する工事についての設計が行われる設計端末に対しての不要な情報の配信を防止することができる。
【００４２】
一方、後続する工事Ｘ１についての判定にあっては、同じく竣工時期情報「８月１０日」と当該工事１の竣工時期情報「８月２０日」が比較され、竣工時期が先行する工事有りと判定される（ステップＳ２３）。続くステップＳ２５において設計内容配信部１１ｄは、先行する工事Ｘ２の竣工時期情報「８月１０日」に対応づけられた工事設計情報Ｄ２「Ｂ＝＋１」を設計情報保存部１５から読出し、当該設計Ｙ１が行われている設計端末２１へと配信する。工事設計情報Ｄ２「Ｂ＝＋１」の配信を受けた設計端末２１の表示処理部２１ｂは、設計画面におけるＢ装置の現用欄にピンク色で数量１を表示する。即ち、竣工時期が先行する工事の工事設計情報が設備情報の一部であるかのように表示される。尚、ステップＳ２５の情報配信後は再びステップＳ２１の処理が行われる。
【００４３】
従って、後続する工事Ｘ１のための設計Ｙ１の設計者は、竣工時期が先行する工事Ｘ２の工事設計情報Ｄ２を得ることができる。しかも、参照用設備情報と工事設計情報とが、共に現用欄に表示されるようにしたことにより、先行する工事が竣工したとの仮定のもとに設計を進めることができる。尚、竣工時期比較判定部１１ｃのなかに、工事に影響を与える他の設計を検出する機能を含ませ、影響を与えるものとして検出された設計についての工事設計情報を当該工事の設計の際に参照可能としてもよい。
【００４４】
次に、竣工処理部１７によって行われる竣工処理について説明する。
【００４５】
設計端末２２での設計Ｙ２の終了後には、工事設計情報Ｄ２と設備情報とから初期データが生成され、この初期データにより電話交換機２００が初期設定され、動作検証が行われる。そして、その後に、竣工処理部１７により竣工処理が行われる。即ち、工事設計情報Ｄ２の内容「Ｂ＝＋１」で設備情報が更新され、不要となった工事設計情報Ｄ２が消去される。
【００４６】
図２−▲４▼では、更新後の設備情報の一部として定期送信された参照用設備情報（Ａ＝１，Ｂ＝１）に基づいて、設計Ｙ１が行われる設計端末２１の表示処理部２１ｂは、その設計画面において、Ｂ装置の現用欄の表示を、先行する工事が竣工したものと仮定した場合の数量を示すピンク色から、電話交換機２００での実際の使用数量を表す黒色へと切替える。
【００４７】
設計端末２１での設計Ｙ１の終了後も同様に、竣工処理部１７による設計Ｙ１の竣工処理が行われる。即ち、工事設計情報Ｄ１の内容「Ａ＝＋１」により、設備情報が更新され、工事設計情報Ｄ１が消去される。尚、この設計支援システム１００では、先行する工事の竣工処理が全て終了しなくとも、当該工事の竣工処理ができるようにすることにより、自由度の大きい設計が可能となっている。
【００４８】
そして、図２−▲５▼では、設計端末２１の表示処理部２１ｂは、定期送信された参照用設備情報（Ａ＝２，Ｂ＝１）に基づいて、設計画面におけるＡ装置の現用欄に黒色で数量２を表示する。
【００４９】
尚、図２の本例における設計Ｙ１の開始時には、まだ設計Ｙ２が開始されていないが、この設計Ｙ２が先に開始されている場合にあっては、工事設計情報Ｄ１が生成されたときに、工事設計情報監視部１１ｂにより工事設計情報の生成／更新有りと判定され、竣工時期比較判定部１１ｃにより、竣工時期が先行する工事の有無が判定され、設計内容配信部１１ｄにより工事設計情報Ｄ２が設計端末２１に配信されるため、設計Ｙ１の設計者は、設計開始当初から先行する工事Ｘ２の設計内容を知ることができる。
【００５０】
以上説明したように、この実施の形態では、竣工時期情報と工事設計情報とを対応づけて設計情報保存部１５（設計情報保存手段）に保存し、竣工時期比較判定部１１ｃにより竣工時期情報が相互に比較された結果、工事Ｘ２のような竣工時期が先行する工事があると判定されたときに、設計内容配信部１１ｄにより先行する工事の工事設計情報が設計端末に配信される。即ち、竣工時期比較判定部１１ｃと設計内容配信部１１ｄとで構成される情報開示手段によって、工事Ｘ１のような後の工事の設計に際して、竣工時期が先行する工事の工事設計情報を参照可能としたため、先行する工事の内容を後の工事の設計に矛盾なく反映することができる。従って、設計時期の制約を排除して、設計効率を向上させることができる。
【００５１】
また、設計端末の表示処理部は、参照用設備情報と工事設計情報とを区別して、電話交換機の状態に応じて工事設計情報を表示色などにより異ならせて表示するため、電話交換機の状態が変ったことを認識することができる。
【００５２】
尚、工事設計情報の配信先は設計端末上の作業領域に限られるものでなく、設計者等にとって参照可能な領域であればよい。従って、このような領域を設計サーバ上等に設けることや、設計情報保存部の各工事設計情報が後の工事の設計者の要求に応じて参照可能となるような関連づけを設定しておくことによっても同様の効果を得ることができる。
【００５３】
また、本発明に係る設計支援システムは、上記説明した電話交換機の設定のための工事だけに適用されるものでなく、その他、様々な設計のために応用することが可能である。従って、工事には規模の異なる様々なものが含まれ、大規模な工事に小工事が含まれる場合にあっては、そのどちらを工事として捉えてもよい。さらに、上記工事の概念には、新規工事、増設工事、除去工事、修正工事などをも含めることができる。また、本発明は、必ずしも上記のような竣工処理を要する工事のみを対象とするものでなく、竣工時期を、単に、工事の終了時期として捉えることも可能である。
【００５４】
【発明の効果】
以上説明したように、本発明に係る設計支援システムよれば、工事設計情報と竣工時期情報とが対応して保存される設計情報保存手段と、竣工時期情報を相互に比較して、所定の設備工事に対して竣工時期が先行する設備工事の工事設計情報を、その所定の設備工事の設計処理に際して参照可能とする情報開示手段とを設けたため、竣工時期が先行する設備工事の内容を参照して後の設備工事の設計に矛盾なく反映させることが可能となり、設計時期の制約の排除および設計効率の向上を図ることができる。
また、情報開示手段が、先行する設備工事の工事設計情報を前記所定の設備工事の設計処理を行う設計端末に配信するので、その設計端末において、先行する設備工事の工事設計情報を参照することができる。
【図面の簡単な説明】
【図１】本発明に係る設計支援システムの第１の実施の形態を示す構成図である。
【図２】図１に示す設計支援システム１００を使用した設計例における処理の流れを示す図である。
【図３】図１に示す設計支援システム１００の動作を示すシーケンス図である。
【図４】工事設計情報監視部、竣工時期比較判定部および設計内容配信部の動作を示すフローチャートである。
【図５】従来の設計支援システムを使用した設計例における処理の流れを示す図である。
【符号の説明】
１０  設計サーバ
１１  多重設計管理部
１１ａ  設計開始処理部
１１ｂ  工事設計情報監視部
１１ｃ  竣工時期比較判定部
１１ｄ  設計内容配信部
１３  設備情報格納部
１５  設計情報保存部
１７  竣工処理部
２１，２２  設計端末
２１ａ，２２ａ  表示部
２１ｂ，２２ｂ  表示処理部
１００  設計支援システム
２００  電話交換機
【図１】
0003542745.tif 000002
【図２】
0003542745.tif 000003
【図３】
0003542745.tif 000004
【図４】
0003542745.tif 000005
【図５】
0003542745.tif 000006